(57)【特許請求の範囲】
【請求項１】
オーブン本体にドア部品を開閉自在に取り付けるため、複数箇所で、オーブン本体側ヒンジ部のピンまたは穴に、ドア側ヒンジ部の穴またはピンを嵌挿するとともに、オーブン本体側ヒンジ部またはドア側ヒンジ部のピンは、その先端が同一方向を向いて垂直に突出している電子レンジのドア部品取付構造において、前記ドア部品のオーブン本体への取り付けに際し、一方のピンと穴の位置を合わせた後、他方のピンと穴の位置を合わせることを可能にするために、前記オーブン本体側ヒンジ部のピンまたは穴のピッチと、前記ドア側ヒンジ部の穴またはピンのピッチとが異なることを特徴とする電子レンジのドア部品取付構造。
【発明の詳細な説明】
【０００１】
【産業上の利用分野】
本発明は、マイクロ波を用いた加熱調理器である電子レンジに関するものであり、特にドアパネル、ドアフレーム、チョークカバー、等からなるドア部品の取付構造に関するものである。
【０００２】
【従来の技術】
電子レンジは、マイクロ波によって被調理物を加熱する方式の加熱調理器であり、ドアは開閉して被調理物を出し入れする機能ばかりでなく、加熱中はマイクロ波を遮断するという機能も有しており、複数の部品から構成されている。図４に、従来の電子レンジのドア部分の断面図を示す。この電子レンジのドア部分は、加熱調理を行うオーブン本体３１に、チョークカバー３２、ドアパネル３３、ドアフレーム３４からなるドア部品を取り付けた構造である。
【０００３】
このドア部品の取り付け構造について説明する。まずオーブン本体３１に、オーブン本体側ヒンジ部３５が溶接で取り付けられている。オーブン本体側ヒンジ部３５は断面Ｕ字型に折り曲げられた金属板であり、この金属板の両突設部がオーブン本体内側より上下に外側へ突出するように取り付けられ、両突設部には貫通孔が設けられている。ドアパネル３３の上部及び下部にはドア側ヒンジ部３６，３７が溶接で取り付けられている。ドア側ヒンジ部３６，３７は、断面Ｌ字型の金属板３６ａ，３７ａとピン３６ｂ，３７ｂからなる。上部のヒンジ部３６はドアパネル３３の上側でピン３６ａを下方に突出するように金属板３６ａを取り付ける。下部のヒンジ部３７はドアパネル３３の下側で且つピン３７ｂを下方に突出するように金属板３７ａを取り付ける。オーブン本体側ヒンジ部３５の上下の貫通孔のピッチとドア側ヒンジ部３６，３７の上下のピン３６ｂ，３７ｂのピッチが同じに設定されており、貫通孔にピンを嵌挿することにより、オーブン本体３１にドアパネル１３を開閉自在に取り付ける。
【０００４】
次に、ドアフレーム３４に半矢印形状の爪３８を形成し、ドアパネル３３に形成した角穴に嵌合させ取り付ける。挿入時には、矢印形状部分の傾斜面によって爪３８が多少曲がりながら角穴に入り込み、矢印部分が角穴を通過した時点で弾性力でもとにもどることで、爪３８がドアパネル３３に引っ掛かり外れなくなる。最後にチョークカバー３２をドアパネル３３に取り付ける。
【０００５】
【発明が解決しようとする課題】
しかし、ドア側ヒンジ部のピンをオーブン本体側ヒンジ部の穴に嵌挿する場合、各ピッチが同じなので、上下同時に２本のピンを挿入する必要があり、位置合わせに手間取り、作業性が悪かった。また、ドアフレームをドアパネルに爪で嵌合させ取り付けると、取り付けは容易であるが、逆に取り外しにくくなって、修理などのとき不便であった。
【０００６】
本発明の目的は、このような課題を解決するためになされたものであって、ドア部品の取り付けや取り外しを容易に行うことができ、作業性を向上させることが可能な電子レンジのドア部品取付構造を提供することである。
【０００７】
【課題を解決するための手段】
本発明は、オーブン本体にドア部品を開閉自在に取り付けるため、複数箇所で、オーブン本体側ヒンジ部のピンまたは穴に、ドア側ヒンジ部の穴またはピンを嵌挿するとともに、オーブン本体側ヒンジ部またはドア側ヒンジ部のピンは、その先端が同一方向を向いて垂直に突出している電子レンジのドア部品取付構造において、前記ドア部品のオーブン本体への取り付けに際し、一方のピンと穴の位置を合わせた後、他方のピンと穴の位置を合わせることを可能にするために、前記オーブン本体側ヒンジ部のピンまたは穴のピッチと、前記ドア側ヒンジ部の穴またはピンのピッチとが異なることを特徴とする。
【０００８】
本発明によれば、オーブン本体側ヒンジ部のピンまたは穴のピッチと、ドア側ヒンジ部の穴またはピンのピッチが異なるから、一つのピンを穴に嵌挿しても、他のピンと穴の間には隙間がある。したがって次にそのピンと穴を嵌挿すればよく、位置合わせが容易で、取り付けがし易い。
【０００９】
【発明の実施の形態】
以下、図面を参照して、本発明の実施例を説明する。図１は、本発明に係る電子レンジのドア部分の一実施例を示す斜視図である。この電子レンジは、被調理物を入れて加熱を行うオーブン本体１１と、ドア部品であるチョークカバー１２、ドアパネル１３、ドアフレーム１４とから構成されている。
【００１０】
オーブン本体１１にはオーブン本体側ヒンジ部１５が溶接で取り付けられている。オーブン本体側ヒンジ部１５は断面Ｕ字型に折り曲げられた金属板であり、両突設部１６，１７がオーブン本体内側より上下に外側へ突出するように取り付けられている。両突設部１６，１７には貫通孔１６ａ，１７ａが設けられており、また手前が広く奥側に行くにしたがって貫通孔１６ａ，１７ａの径と略合致する絞り溝１６ｂ，１７ｂが形成されている。
【００１１】
ドアパネル１３の上部及び下部にはドア側ヒンジ部１８，１９が溶接で取り付けられている。ドア側ヒンジ部は断面Ｌ字型の金属板１８ａ，１９ａとピン１８ｂ，１９ｂからなる。上部のヒンジ部１８はドアパネル１３の上側でピン１８ｂを下方に突出するように金属板１８ａを取り付ける。下部のヒンジ部１９はドアパネル１３の下側でピン１９ｂを下方に突出するように金属板１９ａを取り付ける。
【００１２】
次に、オーブン本体とドアパネル１３との取り付けを、図２に示す断面図を参照しながら説明する。図２のＡは取り付け前の状態であり、図２のＢは取り付け後の状態である。オーブン本体１１に取り付けられたオーブン本体側ヒンジ部１５の上下の穴のピッチＭと，ドアパネル１３に設けられた取り付けられた上下のドア側ヒンジ部１８，１９のピン１８ｂ，１９ｂのピッチＮの関係を、Ｍ＞Ｎにする。ドア側ヒンジ部１８のピン１８ｂをオーブン本体側ヒンジ部１５の上部溝１６ｂに沿って移動し、上部貫通孔１６ａに嵌挿する。このとき、Ｍ＞Ｎであるから、ドア側ヒンジ部１９のピン１９ｂとオーブン本体側ヒンジ部１５の下部貫通孔１７ａとに隙間が生じる。よって、上部ピン１８ｂの挿入を確認後、下側ピン１９ｂを挿入することができる。
【００１３】
こうして、ドア側ヒンジ部のピンをオーブン本体側ヒンジ部の溝に沿って移動して貫通孔まで導くことができるので、ピンと貫通孔の位置合わせが容易となる。また、上下同時にピンをオーブン本体側ヒンジ部に挿入しなければならなかった従来技術に比較して、オーブン本体側ヒンジ部の貫通孔のピッチとドア側ヒンジ部のピンのヒンジ部のピッチが異なるため、片側の穴にピンを嵌挿してから、もう一方の穴にピンを嵌挿できるので、容易に取付け可能となり、作業性が向上する。
【００１４】
図３は、本発明に係る電子レンジのドア部分を示す断面図である。同図により、ダフレームのドアパネルへの取り付けを説明する。ドアフレームにＺ型の爪２１を６箇所設ける。この爪２１をドアパネル１３の角穴に挿入し、図面に示した矢印方向にスライドするだけで取り付けができる。しかし、この状態ではドアフレームを矢印方向と逆方向にスライドすると、簡単に外れてしまう。
【００１５】
そこで、最後に矢印方向に取り付けるチョークカバー１２に抜け防止リブ２２，２３を２箇所設けている。抜け防止リブ２２はオーブン本体側ヒンジ部１５の上側の下部に接触する部分に設け、ドアパネル１３の抜け防止を行う。抜け防止リブ２３は、ドアパネル１３の下部と、ドアフレーム下部との隙間に入り込むように設け、ドアフレーム１４の抜け防止を行う。さらにチョークカバー１２には爪がドア全周にわたり、適宜配置されている。この爪はドアパネル１３に設けられた角穴に嵌合し、結合している。取り外す時は、チョークカバー１２を取り外し、ドアフレーム１４を取り付けたときと逆方向にずらすと簡単に外すことができる。
【００１６】
本発明は、このような構成に限られるものではない。オーブン本体側ヒンジ部にピンを設け、ドア側ヒンジ部に貫通穴を設けた構造でもよいし、またオーブン本体側ヒンジ部にピンと貫通穴を設け、それと対応してドア側ヒンジ部に貫通穴とピンを設けた構造でもよい。またドアパネルに爪を設け、ドアフレームに角穴を設けて、ドアパネルにドアフレームを取り付ける構造でもよい。
【００１７】
【発明の効果】
本発明によると、オーブン本体側ヒンジ部のピンまたは穴のピッチと、ドア側ヒンジ部の穴またはピンのピッチが異なるから、片側の穴にピンを嵌挿してから、もう一方の穴にピンを嵌挿できるから、容易に取付け可能となり、作業性が向上する。
【図面の簡単な説明】
【図１】本発明に係る電子レンジのドア部分の一実施例を示す斜視図である。
【図２】この電子レンジのオーブン本体とドアパネルの取付断面図であり、（Ａ）は取り付け前の状態、（Ｂ）は取り付け後の状態を示す。
【図３】本発明に係る電子レンジのドア部分の断面図である。
【図４】従来の電子レンジのドア部分の断面図である。
【符号の説明】
１１  オーブン本体
１２  チョークカバー
１３  ドアパネル
１４  ドアフレーム
１５  オーブン本体側ヒンジ部
１６ａ，１７ａ  貫通孔
１６ｂ，１７ｂ  溝
１８，１９  ドア側ヒンジ部
１８ｂ，１９ｂ  ピン
【図１】
0003585827.tif 000002
【図２】
0003585827.tif 000003
【図３】
0003585827.tif 000004
【図４】
0003585827.tif 000005